(57)【要約】【課題】本発明の目的は、１つのＳＮＳ投稿メッセージが設定された表示領域とともに、テレビジョン放送を表示手段に表示することができる方法を提供することにある。【解決手段】サーバから、ＳＮＳ投稿メッセージを受信する手段と、ＳＮＳ投稿メッセージを含むデータ放送を配信する手段と、を備える放送局が配信のデータ放送を受信した受信機で、１つのＳＮＳ投稿メッセージが設定された表示領域とともに、テレビジョン放送を表示手段に表示させることを特徴とする。【選択図】図１
2018101981.tif 000002
【特許請求の範囲】
【請求項１】
サーバから、ＳＮＳ投稿メッセージを受信する手段と、前記ＳＮＳ投稿メッセージを含むデータ放送を配信する手段と、を備える放送局が配信の前記データ放送を受信した受信機で、
１つの前記ＳＮＳ投稿メッセージが設定された表示領域とともに、テレビジョン放送を表示手段に表示させることを特徴とする方法。
【請求項２】
コンピュータを、
サーバから、ＳＮＳ投稿メッセージを受信する手段と、前記ＳＮＳ投稿メッセージを含むデータ放送を配信する手段と、を備える放送局が配信の前記データ放送を受信した受信機で、
１つの前記ＳＮＳ投稿メッセージが設定された表示領域とともに、テレビジョン放送を表示手段に表示させる手段として機能させるための制御プログラム。
【発明の詳細な説明】
【技術分野】
【０００１】
本発明は、ＳＮＳ投稿メッセージ放送方法に関する。
【背景技術】
【０００２】
従来、テレビジョン放送方法が知られる。例えば、特開２００２−３３５２２３号公報に記載の技術は、テレビジョン放送とペアのデータ放送を用いて、掲示板手段を提供し通信ネットワークを介して投稿メッセージを掲示板サーバに投稿する技術が開示されている。
【先行技術文献】
【特許文献】
【０００３】
【特許文献１】特開２００２−３３５２２３号公報
【発明の概要】
【発明が解決しようとする課題】
【０００４】
ところで、上記従来のテレビジョン放送方法は、１つのＳＮＳ投稿メッセージが設定された表示領域とともに、テレビジョン放送を表示手段に表示することができないと言った問題があった。
【０００５】
そこで、本発明の目的は、１つのＳＮＳ投稿メッセージが設定された表示領域とともに、テレビジョン放送を表示手段に表示することができる方法および制御プログラムを提供することにある。
【課題を解決するための手段】
【０００６】
上記課題を解決するため本発明の方法は、サーバから、ＳＮＳ投稿メッセージを受信する手段と、前記ＳＮＳ投稿メッセージを含むデータ放送を配信する手段と、を備える放送局が配信の前記データ放送を受信した受信機で、１つの前記ＳＮＳ投稿メッセージが設定された表示領域とともに、テレビジョン放送を表示手段に表示させることを特徴とする。
【発明の効果】
【０００７】
本発明によれば、方法および制御プログラムは、１つのＳＮＳ投稿メッセージが設定された表示領域とともに、テレビジョン放送を表示手段に表示することができる。
【図面の簡単な説明】
【０００８】
【図１】実施形態のテレビジョン放送システムの構成図の一例である。
【発明を実施するための形態】
【０００９】
以下、本発明の一実施の形態について詳細に説明する。
【００１０】
図１は実施形態のテレビジョン放送システムの構成図の一例である。
テレビジョン放送システムは、例えば、テレビジョン放送とペアをなすデータ放送を用いて、放送番組や放送局を識別する投稿先識別子および視聴者にアカウントを付与するＳＮＳサーバ４から配信された視聴者の投稿メッセージを配信する手段を備える放送局１と、テレビジョン放送とデータ放送を受信する手段と、ＮＦＣペアリングを行う手段を備えるテレビジョン２と、ＮＦＣペアリングを行う手段を備えるクライアント３と、ＳＮＳサーバ４と、がインターネット１０などのネットワークシステムに接続されて構成される。テレビジョン２は、テレビジョン放送を表示する手段と、視聴者によりＮＦＣペアリングを用いたクライアント３がかざされたときに、投稿メッセージを表示するとともに、投稿先識別子をクライアント３に送信する手段を備える。クライアント３は、投稿先識別子を受信する手段と、視聴者に入力させた投稿メッセージを投稿先識別子と対応づけ、視聴者のアカウントを用いてＳＮＳサーバ４へ投稿する手段を備えることを特徴とする。
【００１１】
投稿メッセージは、視聴者にアカウントを付与するツイッター（登録商標）やフェイスブック（登録商標）に代表されるSocial Networking Serviceを提供するＳＮＳサーバ４への視聴者の投稿メッセージである。投稿先識別子は、放送番組や放送局に対応するアカウントやハッシュタグなどにあたる。放送局１はテレビジョン放送に関わる放送システムを構成している。また、ケーブルテレビジョンを構成してもよい。また、投稿先識別子を備える。
【００１２】
テレビジョン２、クライアント３、ＳＮＳサーバ４などの装置は、インターネット１０などのネットワークシステムに接続され、ＣＰＵ、ＲＯＭ、ＲＡＭ、記憶装置、ネットワーク通信回路、ＮＦＣ通信回路（テレビジョン２とクライアント３のみ）などを有するコンピュータ部を備える。
テレビジョン２は、自己のコンピュータ部により制御されるデジタル放送受信回路、レンダリング回路、ディスプレイ２０などを有するテレビジョン部を備える。また、操作リモコンが付属する。
クライアント３のコンピュータ部は、ディスプレイと一体となったタッチパネル３０を備える。
ＮＦＣは通信距離が１０ｃｍ程度に限定され、その最も特徴的な機能としてクライアント３をテレビジョン２に「かざす」だけで、簡単にテレビジョン２とクライアント３間のデータ通信を利用することができる。
【００１３】
次に、テレビジョン放送システムの処理を説明する。
＜各放送局の処理＞
各放送局１はＳＮＳサーバ４から自己の投稿先識別子が対応づけられた投稿メッセージの配信を受け、配信された投稿メッセージを操作端末のディスプレイに表示させ、スタッフに放送に適した投稿メッセージなどを選択させ、該投稿メッセージと投稿先識別子を含むデータ放送をテレビジョン放送とともに放送する。
【００１４】
＜各テレビジョンの処理＞
各テレビジョン２は、テレビジョン放送表示モードとして特定の放送局１からのテレビジョン放送を受信しレンダリングしてディスプレイ２０に表示する。
【００１５】
＜ＮＦＣペアリングの処理＞
視聴者はＳＮＳサーバ４と接続された状態で、かつ、ＮＦＣペアリングを用いたクライアント３をテレビジョン２にかざす。クライアント３をかざされた場合のテレビジョン２は、投稿メッセージ表示モードに切り替わり、データ放送から投稿先識別子を取得し、データ放送から投稿メッセージを取得しレンダリングするとともに、レンダリングしたテレビジョン放送をディスプレイ２０のテレビジョン放送表示領域２１に表示し、レンダリングした投稿メッセージをディスプレイ２０の投稿メッセージ表示領域２２に表示する。さらに、ＮＦＣペアリングを用いて、クライアント３に投稿先識別子を送信する。クライアント３は投稿先識別子の受信に応じて、ＳＮＳサーバ４から投稿先識別子が対応づけられた投稿メッセージをダウンロードしてタッチパネル３０に表示し、視聴者に投稿欄３１に投稿メッセージを入力させて、該投稿メッセージに該投稿先識別子を対応づけ、視聴者のアカウントを用いてＳＮＳサーバ４に送信する。
【００１６】
＜投稿メッセージの投稿・配信処理＞
ＳＮＳサーバ４は、各クライアント３から受信した投稿メッセージなどを自己の記憶装置に記憶するとともに、投稿先識別子に照らして該投稿メッセージなどを各放送局１と各クライアント３に配信することとなる。
【００１７】
上記実施形態によれば、テレビジョン放送システムは、ＳＮＳサーバ４への投稿に利用するクライアント３がかざされた場合に、テレビジョン２を投稿メッセージ表示モードに切替えることが可能となる。
【００１８】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１９】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００２０】
また、インターネット、ＬＡＮ等のネットワークシステムを介して制御プログラムをダウンロードし、インストールして実行するように構成することも可能である。
【符号の説明】
【００２１】
１…放送局，２…テレビジョン，３…クライアント，４…ＳＮＳサーバ
【図１】
2018101981.tif 000003
【手続補正書】
【提出日】平成30年3月14日(2018.3.14)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・サービスを提供するサーバから受信した第１ＳＮＳ投稿メッセージの内から、人為的に選ばれた第２ＳＮＳ投稿メッセージを含むデータ放送を配信する放送局が配信の前記データ放送の前記第２ＳＮＳ投稿メッセージを、テレビジョン放送とともに表示手段に表示させることを特徴とする方法。
【請求項２】
プロセッサを、
ソーシャル・ネットワーキング・サービスを提供するサーバから受信した第１ＳＮＳ投稿メッセージの内から、人為的に選ばれた第２ＳＮＳ投稿メッセージを含むデータ放送を配信する放送局が配信の前記データ放送の前記第２ＳＮＳ投稿メッセージを、テレビジョン放送とともに表示手段に表示させる手段として機能させるための制御プログラム。
【手続補正２】
【補正対象書類名】明細書
【補正対象項目名】０００６
【補正方法】変更
【補正の内容】
【０００６】
上記課題を解決するため本発明の方法は、ソーシャル・ネットワーキング・サービスを提供するサーバから受信した第１ＳＮＳ投稿メッセージの内から、人為的に選ばれた第２ＳＮＳ投稿メッセージを含むデータ放送を配信する放送局が配信の前記データ放送の前記第２ＳＮＳ投稿メッセージを、テレビジョン放送とともに表示手段に表示させることを特徴とする。
【手続補正３】
【補正対象書類名】明細書
【補正対象項目名】０００４
【補正方法】変更
【補正の内容】
【０００４】
ところで、上記従来のテレビジョン放送方法は、放送局が配信のデータ放送の人為的に選ばれた第２ＳＮＳ投稿メッセージを、テレビジョン放送とともに表示手段に表示させることができないと言った問題があった。
【手続補正４】
【補正対象書類名】明細書
【補正対象項目名】０００５
【補正方法】変更
【補正の内容】
【０００５】
そこで、本発明の目的は、放送局が配信のデータ放送の人為的に選ばれた第２ＳＮＳ投稿メッセージを、テレビジョン放送とともに表示手段に表示させることができる方法および制御プログラムを提供することにある。
【手続補正５】
【補正対象書類名】明細書
【補正対象項目名】０００７
【補正方法】変更
【補正の内容】
【０００７】
本発明によれば、方法および制御プログラムは、放送局が配信のデータ放送の人為的に選ばれた第２ＳＮＳ投稿メッセージを、テレビジョン放送とともに表示手段に表示させることができる。
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・サービスを提供するサーバから受信した放送番組または放送局を宛先とする第１ＳＮＳ投稿メッセージの内から、人為的に選ばれた第２ＳＮＳ投稿メッセージを含むデータ放送を配信する前記放送局が配信の前記データ放送の前記第２ＳＮＳ投稿メッセージを、テレビジョン放送とともに表示手段に表示させることを特徴とする方法。
【請求項２】
プロセッサを、
ソーシャル・ネットワーキング・サービスを提供するサーバから受信した放送番組または放送局を宛先とする第１ＳＮＳ投稿メッセージの内から、人為的に選ばれた第２ＳＮＳ投稿メッセージを含むデータ放送を配信する前記放送局が配信の前記データ放送の前記第２ＳＮＳ投稿メッセージを、テレビジョン放送とともに表示手段に表示させる手段として機能させるための制御プログラム。
【手続補正２】
【補正対象書類名】明細書
【補正対象項目名】０００６
【補正方法】変更
【補正の内容】
【０００６】
上記課題を解決するため本発明の方法は、ソーシャル・ネットワーキング・サービスを提供するサーバから受信した放送番組または放送局を宛先とする第１ＳＮＳ投稿メッセージの内から、人為的に選ばれた第２ＳＮＳ投稿メッセージを含むデータ放送を配信する前記放送局が配信の前記データ放送の前記第２ＳＮＳ投稿メッセージを、テレビジョン放送とともに表示手段に表示させることを特徴とする。
【手続補正書】
【提出日】平成30年3月18日(2018.3.18)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・サービスを提供するシステムが配信した放送局が放送中に視聴者に提示した投稿先宛に投稿された第１ＳＮＳ投稿メッセージの内から、前記放送局により人為的に選ばれた第２ＳＮＳ投稿メッセージを含むデータ放送を配信する前記放送局が配信した前記データ放送の前記第２ＳＮＳ投稿メッセージを、テレビジョン放送とともに表示手段に表示させるか否かを前記視聴者に選択させることを特徴とする方法。
【請求項２】
プロセッサを、
ソーシャル・ネットワーキング・サービスを提供するシステムが配信した放送局が放送中に視聴者に提示した投稿先宛に投稿された第１ＳＮＳ投稿メッセージの内から、前記放送局により人為的に選ばれた第２ＳＮＳ投稿メッセージを含むデータ放送を配信する前記放送局が配信した前記データ放送の前記第２ＳＮＳ投稿メッセージを、テレビジョン放送とともに表示手段に表示させるか否かを前記視聴者に選択させる手段として機能させるための制御プログラム。
【手続補正２】
【補正対象書類名】明細書
【補正対象項目名】０００６
【補正方法】変更
【補正の内容】
【０００６】
上記課題を解決するため本発明の方法は、ソーシャル・ネットワーキング・サービスを提供するシステムが配信した放送局が放送中に視聴者に提示した投稿先宛に投稿された第１ＳＮＳ投稿メッセージの内から、前記放送局により人為的に選ばれた第２ＳＮＳ投稿メッセージを含むデータ放送を配信する前記放送局が配信した前記データ放送の前記第２ＳＮＳ投稿メッセージを、テレビジョン放送とともに表示手段に表示させるか否かを前記視聴者に選択させることを特徴とする。
【手続補正３】
【補正対象書類名】明細書
【補正対象項目名】０００４
【補正方法】変更
【補正の内容】
【０００４】
ところで、上記従来のテレビジョン放送方法は、ＳＮＳ投稿メッセージを、テレビジョン放送とともに表示手段に表示させるか否かを視聴者に選択させることができないと言った問題があった。
【手続補正４】
【補正対象書類名】明細書
【補正対象項目名】０００５
【補正方法】変更
【補正の内容】
【０００５】
そこで、本発明の目的は、ＳＮＳ投稿メッセージを、テレビジョン放送とともに表示手段に表示させるか否かを視聴者に選択させることができる方法および制御プログラムを提供することにある。
【手続補正５】
【補正対象書類名】明細書
【補正対象項目名】０００７
【補正方法】変更
【補正の内容】
【０００７】
本発明によれば、方法および制御プログラムは、ＳＮＳ投稿メッセージを、テレビジョン放送とともに表示手段に表示させるか否かを視聴者に選択させることができる。
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
放送局が放送中に視聴者に提示した投稿先宛に投稿され、ソーシャル・ネットワーキング・サービスを提供するシステムが配信したＳＮＳ投稿メッセージを含むデータ放送を配信する前記放送局が配信した前記データ放送の前記ＳＮＳ投稿メッセージを、テレビジョン放送とともに表示手段に表示させるか否かを前記視聴者に選択させることを特徴とする方法。
【請求項２】
プロセッサを、
放送局が放送中に視聴者に提示した投稿先宛に投稿され、ソーシャル・ネットワーキング・サービスを提供するシステムが配信したＳＮＳ投稿メッセージを含むデータ放送を配信する前記放送局が配信した前記データ放送の前記ＳＮＳ投稿メッセージを、テレビジョン放送とともに表示手段に表示させるか否かを前記視聴者に選択させる手段として機能させるための制御プログラム。
【手続補正２】
【補正対象書類名】明細書
【補正対象項目名】０００６
【補正方法】変更
【補正の内容】
【０００６】
上記課題を解決するため本発明の方法は、放送局が放送中に視聴者に提示した投稿先宛に投稿され、ソーシャル・ネットワーキング・サービスを提供するシステムが配信したＳＮＳ投稿メッセージを含むデータ放送を配信する前記放送局が配信した前記データ放送の前記ＳＮＳ投稿メッセージを、テレビジョン放送とともに表示手段に表示させるか否かを前記視聴者に選択させることを特徴とする。
【手続補正書】
【提出日】平成30年3月25日(2018.3.25)
【手続補正１】
【補正対象書類名】特許請求の範囲
【補正対象項目名】全文
【補正方法】変更
【補正の内容】
【特許請求の範囲】
【請求項１】
受信したＳＮＳ投稿メッセージを含むデータ放送を、配信する放送局が配信した前記データ放送の前記ＳＮＳ投稿メッセージを、テレビジョン放送とともに表示手段に表示するデータ放送表示手段を提供させることを特徴とする方法。
【請求項２】
プロセッサを、
受信したＳＮＳ投稿メッセージを含むデータ放送を、配信する放送局が配信した前記データ放送の前記ＳＮＳ投稿メッセージを、テレビジョン放送とともに表示手段に表示するデータ放送表示手段として機能させるための制御プログラム。
【手続補正２】
【補正対象書類名】明細書
【補正対象項目名】０００６
【補正方法】変更
【補正の内容】
【０００６】
上記課題を解決するため本発明の方法は、受信したＳＮＳ投稿メッセージを含むデータ放送を、配信する放送局が配信した前記データ放送の前記ＳＮＳ投稿メッセージを、テレビジョン放送とともに表示手段に表示するデータ放送表示手段を提供させることを特徴とする。
【手続補正３】
【補正対象書類名】明細書
【補正対象項目名】０００４
【補正方法】変更
【補正の内容】
【０００４】
ところで、上記従来のテレビジョン放送方法は、データ放送に含むＳＮＳ投稿メッセージを、テレビジョン放送とともに表示手段に表示するデータ放送表示手段を提供させることができないと言った問題があった。
【手続補正４】
【補正対象書類名】明細書
【補正対象項目名】０００５
【補正方法】変更
【補正の内容】
【０００５】
そこで、本発明の目的は、データ放送に含むＳＮＳ投稿メッセージを、テレビジョン放送とともに表示手段に表示するデータ放送表示手段を提供させることができる方法および制御プログラムを提供することにある。
【手続補正５】
【補正対象書類名】明細書
【補正対象項目名】０００７
【補正方法】変更
【補正の内容】
【０００７】
本発明によれば、方法および制御プログラムは、データ放送に含むＳＮＳ投稿メッセージを、テレビジョン放送とともに表示手段に表示するデータ放送表示手段を提供させることができる。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
放送主体が受信し抽出したＳＮＳ投稿文を含むデータ放送を、配信する前記放送主体が配信した前記データ放送の前記ＳＮＳ投稿文を、テレビジョン放送とともに表示手段に表示させることを特徴とする方法。
【請求項２】
プロセッサを、
放送主体が受信し抽出したＳＮＳ投稿文を含むデータ放送を、配信する前記放送主体が配信した前記データ放送の前記ＳＮＳ投稿文を、テレビジョン放送とともに表示手段に表示する手段として機能させるための制御プログラム。
【手続補正２】
【補正対象書類名】明細書
【補正対象項目名】０００６
【補正方法】変更
【補正の内容】
【０００６】
上記課題を解決するため本発明の方法は、放送主体が受信し抽出したＳＮＳ投稿文を含むデータ放送を、配信する前記放送主体が配信した前記データ放送の前記ＳＮＳ投稿文を、テレビジョン放送とともに表示手段に表示させることを特徴とする。  
【手続補正３】
【補正対象書類名】明細書
【補正対象項目名】０００４
【補正方法】変更
【補正の内容】
【０００４】
ところで、上記従来のテレビジョン放送方法は、ＳＮＳ投稿文を含むデータ放送を配信することができないと言った問題があった。
【手続補正４】
【補正対象書類名】明細書
【補正対象項目名】０００５
【補正方法】変更
【補正の内容】
【０００５】
そこで、本発明の目的は、ＳＮＳ投稿文を含むデータ放送を配信することができる方法および制御プログラムを提供することにある。
【手続補正５】
【補正対象書類名】明細書
【補正対象項目名】０００７
【補正方法】変更
【補正の内容】
【０００７】
本発明によれば、方法および制御プログラムは、ＳＮＳ投稿文を含むデータ放送を配信することができる。